(57)【特許請求の範囲】
【請求項１】
１つ以上の発電機及び１つ以上の負荷が接続する第１配電線と、前記第１配電線の上位に接続し１つ以上の前記第１配電線が分岐する第２配電線と、前記第２配電線の上位に接続し１つ以上の前記第２配電線が分岐する第３配電線と、を含む電力供給システムの制御方法であって、
前記第１配電線の夫々に、夫々に接続している前記発電機の出力、及び前記第１配電線に接続している前記負荷の電力消費量を取得し、夫々の需給差である第１需給差を求める第１情報処理装置を付設し、
前記第２配電線の夫々に、夫々の配下に接続している前記第１配電線の夫々に付設されている前記第１情報処理装置から前記第１需給差を取得して当該第２配電線の需給差である第２需給差を求める第２情報処理装置を付設し、
前記第３配電線の夫々に、夫々の配下に接続している前記第２配電線の夫々に付設されている前記第２情報処理装置から夫々の需給差である第２需給差を取得して当該第３配電線の需給差である第３需給差を求める第３情報処理装置を付設し、
前記第１情報処理装置の夫々は、
夫々が付設されている前記第１配電線の直系上位に接続している前記第２配電線に付設されている前記第２情報処理装置と通信することにより前記第２需給差を取得するとともに、夫々が付設されている前記第１配電線の直系上位に接続している前記第３配電線に付設されている前記第３情報処理装置と通信することにより前記第３需給差を取得し、
夫々の前記第１需給差に基づく、夫々が付設されている前記第１配電線に接続している前記負荷に対する電力供給の制御である第１階層電力制御、取得した前記第２需給差に基づく、夫々が付設されている前記第１配電線に接続している前記負荷に対する電力供給の制御である第２階層電力制御、及び、取得した前記第３需給差に基づく、夫々が付設されている前記第１配電線に接続している前記負荷に対する電力供給の制御である第３階層電力制御、を行い、
前記第１情報処理装置の夫々は、
自身が前記第１階層電力制御の制御権である第１階層制御権を現在、要求中又は取得中であることを示す信号である第１自局制御権信号を他の前記第１情報処理装置に対して送信する第１階層制御権信号送信部と、
他の第１情報処理装置が前記第１階層制御権を現在、要求中又は取得中であるか否かを示す信号である第１他局制御権信号を受信する受信部と、
自身が前記第２階層電力制御の制御権である第２階層制御権を現在、要求中又は取得中であることを示す信号である第２自局制御権信号を他の前記第１情報処理装置に対して送信する第２階層制御権信号送信部と、
他の第１情報処理装置が前記第２階層制御権を現在、要求中又は取得中であるか否かを示す信号である第２他局制御権信号を受信する受信部と、
自身が前記第３階層電力制御の制御権である第３階層制御権を現在、要求中又は取得中であることを示す信号である第３自局制御権信号を他の前記第１情報処理装置に対して送信する第３階層制御権信号送信部と、
他の第１情報処理装置が前記第３階層制御権を現在、要求中又は取得中であるか否かを示す信号である第３他局制御権信号を受信する受信部と、
を有し、
前記第１情報処理装置の夫々は、
前記第１階層電力制御を行うに際し、前記第１他局制御権信号を受信中であるか否かを判断し、受信中でなければ前記第１自局制御権信号を他の前記第１情報処理装置に対して送信するとともに前記第１階層電力制御を開始し、受信中であれば前記第１階層電力制御を開始せず、
前記第２階層電力制御を行うに際し、前記第２他局制御権信号を受信中であるか否かを判断し、受信中でなければ前記第２自局制御権信号を他の前記第１情報処理装置に対して送信するとともに前記第２階層電力制御を開始し、受信中であれば前記第２階層電力制御を開始せず、
前記第３階層電力制御を行うに際し、前記第３他局制御権信号を受信中であるか否かを判断し、受信中でなければ前記第３自局制御権信号を他の前記第１情報処理装置に対して送信するとともに前記第３階層電力制御を開始し、受信中であれば前記第３階層電力制御を開始しない
ことを特徴とする電力供給システムの制御方法。
【請求項２】
請求項１に記載の電力供給システムの制御方法であって、
前記第１情報処理装置の夫々は、
前記第１階層電力制御を行うに際し、前記第１他局制御権信号を受信中であるか否かを判断し、前記第１他局制御権信号を受信中であれば所定時間待機した後、再度前記第１他局制御権信号を受信中であるか否かを判断し、受信中でなければ前記第１自局制御権信号を他の前記第１情報処理装置に対して送信するとともに前記第１階層電力制御を開始し、
前記第２階層電力制御を行うに際し、前記第２他局制御権信号を受信中であるか否かを判断し、前記第２他局制御権信号を受信中であれば所定時間待機した後、再度前記第２他局制御権信号を受信中であるか否かを判断し、受信中でなければ前記第２自局制御権信号を他の前記第１情報処理装置に対して送信するとともに前記第２階層電力制御を開始し、
前記第３階層電力制御を行うに際し、前記第３他局制御権信号を受信中であるか否かを判断し、前記第３他局制御権信号を受信中であれば所定時間待機した後、再度前記第３他局制御権信号を受信中であるか否かを判断し、受信中でなければ前記第３自局制御権信号を他の前記第１情報処理装置に対して送信するとともに前記第３階層電力制御を開始する
ことを特徴とする電力供給システムの制御方法。
【請求項３】
請求項１に記載の電力供給システムの制御方法であって、
前記第１情報処理装置の夫々は、
前記第１階層電力制御を行うに際し、前記第１他局制御権信号を受信中であるか否かを判断し、前記第１他局制御権信号を受信中でなければ前記第１自局制御権信号を他の前記第１情報処理装置に対して送信するとともに所定時間待機し、再度前記第１他局制御権信号を受信中であるか否かを判断し、受信中でなければ前記第１階層電力制御を開始し、
前記第２階層電力制御を行うに際し、前記第２他局制御権信号を受信中であるか否かを判断し、前記第２他局制御権信号を受信中でなければ前記第２自局制御権信号を他の前記第１情報処理装置に対して送信するとともに所定時間待機し、再度前記第２他局制御権信号を受信中であるか否かを判断し、受信中でなければ前記第２階層電力制御を開始し、
前記第３階層電力制御を行うに際し、前記第３他局制御権信号を受信中であるか否かを判断し、前記第３他局制御権信号を受信中でなければ前記第３自局制御権信号を他の前記第１情報処理装置に対して送信するとともに所定時間待機し、再度前記第３他局制御権信号を受信中であるか否かを判断し、受信中でなければ前記第３階層電力制御を開始する、
ことを特徴とする電力供給システムの制御方法。
【請求項４】
請求項１に記載の電力供給システムの制御方法であって、
前記第２情報処理装置の夫々は、直系下位の第１情報処理装置から送られてきた第１自局制御権信号、及び第１他局制御権信号については直系下位の第１情報処理装置に転送し、直系下位の第１情報処理装置から送られてきた第２自局制御権信号、第２他局制御権信号、第３自局制御権信号、及び第３他局制御権信号については直系下位の第１情報処理装置及び直系上位の第３情報処理装置に転送し、
前記第３情報処理装置の夫々は、直系下位の第２情報処理装置から送られてきた第２自局制御権信号、第２他局制御権信号、第３自局制御権信号、及び第３他局制御権信号を直系下位の第２情報処理装置に転送する、
ことを特徴とする電力供給システムの制御方法。
【請求項５】
請求項１に記載の電力供給システムの制御方法であって、
前記第１情報処理装置は、
前記第１需給差に基づき夫々が付設されている前記第１配電線の余剰電力の有無を判断し、余剰電力が有れば前記第１配電線に接続している前記負荷に電力を供給し、
前記第１配電線に余剰電力が無ければ、前記第２需給差に基づき前記第１配電線の直系上位に接続している前記第２配電線の余剰電力の有無を判断し、前記第２配電線に余剰電力が有れば前記第１配電線に接続している前記負荷に電力を供給し、
前記第１配電線及び前記第２配電線のいずれにも余剰電力が無ければ、さらに前記第３需給差に基づき前記第１配電線の直系上位に接続している前記第３配電線の余剰電力の有無を判断し、前記第３配電線に余剰電力が有れば前記第１配電線に接続している前記負荷に電力を供給する
ことを特徴とする電力供給システムの制御方法。
【請求項６】
請求項１に記載の電力供給システムの制御方法であって、
前記発電機は太陽光発電機であり、前記負荷は電気自動車の蓄電池である
ことを特徴とする電力供給システムの制御方法。
【請求項７】
１つ以上の発電機及び１つ以上の負荷が接続する第１配電線と、前記第１配電線の上位に接続し１つ以上の前記第１配電線が分岐する第２配電線と、前記第２配電線の上位に接続し１つ以上の前記第２配電線が分岐する第３配電線と、を含む電力供給システムであって、
前記第１配電線の夫々に、夫々に接続している前記発電機の出力、及び前記第１配電線に接続している前記負荷の電力消費量を取得し、夫々の需給差である第１需給差を求める第１情報処理装置が付設され、
前記第２配電線の夫々に、夫々の配下に接続している前記第１配電線の夫々に付設されている前記第１情報処理装置から前記第１需給差を取得して当該第２配電線の需給差である第２需給差を求める第２情報処理装置が付設され、
前記第３配電線の夫々に、夫々の配下に接続している前記第２配電線の夫々に付設されている前記第２情報処理装置から夫々の需給差である第２需給差を取得して当該第３配電線の需給差である第３需給差を求める第３情報処理装置が付設され、
前記第１情報処理装置の夫々は、
夫々が付設されている前記第１配電線の直系上位に接続している前記第２配電線に付設されている前記第２情報処理装置と通信することにより前記第２需給差を取得するとともに、夫々が付設されている前記第１配電線の直系上位に接続している前記第３配電線に付設されている前記第３情報処理装置と通信することにより前記第３需給差を取得し、
夫々の前記第１需給差に基づく、夫々が付設されている前記第１配電線に接続している前記負荷に対する電力供給の制御である第１階層電力制御、取得した前記第２需給差に基づく、夫々が付設されている前記第１配電線に接続している前記負荷に対する電力供給の制御である第２階層電力制御、及び、取得した前記第３需給差に基づく、夫々が付設されている前記第１配電線に接続している前記負荷に対する電力供給の制御である第３階層電力制御、を行い、
前記第１情報処理装置の夫々は、
自身が前記第１階層電力制御の制御権である第１階層制御権を現在、要求中又は取得中であることを示す信号である第１自局制御権信号を他の前記第１情報処理装置に対して送信する第１階層制御権信号送信部と、
他の第１情報処理装置が前記第１階層制御権を現在、要求中又は取得中であるか否かを示す信号である第１他局制御権信号を受信する受信部と、
自身が前記第２階層電力制御の制御権である第２階層制御権を現在、要求中又は取得中であることを示す信号である第２自局制御権信号を他の前記第１情報処理装置に対して送信する第２階層制御権信号送信部と、
他の第１情報処理装置が前記第２階層制御権を現在、要求中又は取得中であるか否かを示す信号である第２他局制御権信号を受信する受信部と、
自身が前記第３階層電力制御の制御権である第３階層制御権を現在、要求中又は取得中であることを示す信号である第３自局制御権信号を他の前記第１情報処理装置に対して送信する第３階層制御権信号送信部と、
他の第１情報処理装置が前記第３階層制御権を現在、要求中又は取得中であるか否かを示す信号である第３他局制御権信号を受信する受信部と、
を有し、
前記第１情報処理装置の夫々は、
前記第１階層電力制御を行うに際し、前記第１他局制御権信号を受信中であるか否かを判断し、受信中でなければ前記第１自局制御権信号を他の前記第１情報処理装置に対して送信するとともに前記第１階層電力制御を開始し、受信中であれば前記第１階層電力制御を開始せず、
前記第２階層電力制御を行うに際し、前記第２他局制御権信号を受信中であるか否かを判断し、受信中でなければ前記第２自局制御権信号を他の前記第１情報処理装置に対して送信するとともに前記第２階層電力制御を開始し、受信中であれば前記第２階層電力制御を開始せず、
前記第３階層電力制御を行うに際し、前記第３他局制御権信号を受信中であるか否かを判断し、受信中でなければ前記第３自局制御権信号を他の前記第１情報処理装置に対して送信するとともに前記第３階層電力制御を開始し、受信中であれば前記第３階層電力制御を開始しない
ことを特徴とする電力供給システム。
【発明の詳細な説明】
【技術分野】
【０００１】
この発明は、電力供給システムの制御方法、及び電力供給システムに関し、とくに電力系統における潮流変動を抑制するための技術に関する。
【背景技術】
【０００２】
昨今、家庭用太陽光発電機等の自然エネルギーを利用した発電方法が注目されており、今後は商用電力系統等の電力系統に自然エネルギーを利用した大量の発電機が接続されることが予想されている。しかし自然エネルギーを利用した発電方法は、気象条件等により出力が変動しやすく、こうした発電方法に起因する電力系統への影響（電圧変動、周波数変動）が懸念されている。
【０００３】
電力系統への影響を防ぐ技術として、例えば特許文献１には、分散電源の出力と、蓄電量とを検出し、蓄電量に基づき電力系統への出力の変動を抑制するための出力目標値を設定し、分散電源の出力と出力目標値とを比較して電力系統への出力が出力目標値になるように電力を調整する電力貯蔵装置が記載されている。
【０００４】
また特許文献２には、分散電源とともに電力系統に接続される電力変動平滑化装置が、分散電源の出力と、蓄電量とを検出し、分散電源の出力の移動平均値を蓄電量または蓄電量の代替値に応じて、調整値または補正係数で補正し、電力系統側への出力目標値と分散電源の出力とを比較して、または電力系統側への出力をフィードバックして、電力系統側への出力が出力目標値になるように充放電部を制御することが記載されている。  
【先行技術文献】
【特許文献】
【０００５】
【特許文献１】特開２００１−３２７０８０号公報
【特許文献２】特開２００２−１７０４４号公報
【発明の概要】
【発明が解決しようとする課題】
【０００６】
ところで、商用電力系統のように、発電所から変電所から分岐する複数の高圧配電線、及び高圧配電線から分岐する複数の低圧配電線を含む、階層的な構成からなる電力系統においては、低圧配電線の夫々に接続される発電機と需要家側負荷との間の需給差が生じ、この需給差が上位の高圧配電線に潮流変動を生じさせる。また高圧配電線の夫々の潮流変動はさらに上位の配電線の潮流変動を生じさせる。従って潮流変動の伝搬を抑制するには、電力系統の階層構造を考慮することが有効である。また潮流変動の伝搬を抑制するための制御主体が複数存在する場合、複数の制御主体が同一の制御対象に対して重複して制御を行わないように考慮する必要がある。
【０００７】
本発明はこのような背景に鑑みてなされたもので、電力系統における潮流変動を抑制することが可能な電力供給システム、及び電力供給システムの制御方法を提供することを目的とする。
【課題を解決するための手段】
【０００８】
上記目的を達成するための本発明の一つは、１つ以上の発電機及び１つ以上の負荷が接続する第１配電線と、前記第１配電線の上位に接続し１つ以上の前記第１配電線が分岐する第２配電線と、前記第２配電線の上位に接続し１つ以上の前記第２配電線が分岐する第３配電線と、を含む電力供給システムの制御方法であって、前記第１配電線の夫々に、夫々に接続している前記発電機の出力、及び前記第１配電線に接続している前記負荷の電力消費量を取得し、夫々の需給差である第１需給差を求める第１情報処理装置を付設し、前記第２配電線の夫々に、夫々の配下に接続している前記第１配電線の夫々に付設されている前記第１情報処理装置から前記第１需給差を取得して当該第２配電線の需給差である第２需給差を求める第２情報処理装置を付設し、前記第３配電線の夫々に、夫々の配下に接続している前記第２配電線の夫々に付設されている前記第２情報処理装置から夫々の需給差である第２需給差を取得して当該第３配電線の需給差である第３需給差を求める第３情報処理装置を付設し、前記第１情報処理装置の夫々は、夫々が付設されている前記第１配電線の直系上位に接続している前記第２配電線に付設されている前記第２情報処理装置と通信することにより前記第２需給差を取得するとともに、夫々が付設されている前記第１配電線の直系上位に接続している前記第３配電線に付設されている前記第３情報処理装置と通信することにより前記第３需給差を取得し、夫々の前記第１需給差に基づく、夫々が付設されている前記第１配電線に接続している前記負荷に対する電力供給の制御である第１階層電力制御、取得した前記第２需給差に基づく、夫々が付設されている前記第１配電線に接続している前記負荷に対する電力供給の制御である第２階層電力制御、及び、取得した前記第３需給差に基づく、夫々が付設されている前記第１配電線に接続している前記負荷に対する電力供給の制御である第３階層電力制御、を行い、前記第１情報処理装置の夫々は、自身が前記第１階層電力制御の制御権である第１階層制御権を現在、要求中又は取得中であることを示す信号である第１自局制御権信号を他の前記第１情報処理装置に対して送信する第１階層制御権信号送信部と、他の第１情報処理装置が前記第１階層制御権を現在、要求中又は取得中であるか否かを示す信号である第１他局制御権信号を受信する受信部と、自身が前記第２階層電力制御の制御権である第２階層制御権を現在、要求中又は取得中であることを示す信号である第２自局制御権信号を他の前記第１情報処理装置に対して送信する第２階層制御権信号送信部と、他の第１情報処理装置が前記第２階層制御権を現在、要求中又は取得中であるか否かを示す信号である第２他局制御権信号を受信する受信部と、自身が前記第３階層電力制御の制御権である第３階層制御権を現在、要求中又は取得中であることを示す信号である第３自局制御権信号を他の前記第１情報処理装置に対して送信する第３階層制御権信号送信部と、他の第１情報処理装置が前記第３階層制御権を現在、要求中又は取得中であるか否かを示す信号である第３他局制御権信号を受信する受信部と、を有し、前記第１情報処理装置の夫々は、前記第１階層電力制御を行うに際し、前記第１他局制御権信号を受信中であるか否かを判断し、受信中でなければ前記第１自局制御権信号を他の前記第１情報処理装置に対して送信するとともに前記第１階層電力制御を開始し、受信中であれば前記第１階層電力制御を開始せず、前記第２階層電力制御を行うに際し、前記第２他局制御権信号を受信中であるか否かを判断し、受信中でなければ前記第２自局制御権信号を他の前記第１情報処理装置に対して送信するとともに前記第２階層電力制御を開始し、受信中であれば前記第２階層電力制御を開始せず、前記第３階層電力制御を行うに際し、前記第３他局制御権信号を受信中であるか否かを判断し、受信中でなければ前記第３自局制御権信号を他の前記第１情報処理装置に対して送信するとともに前記第３階層電力制御を開始し、受信中であれば前記第３階層電力制御を開始しないこととする。
【０００９】
このように本発明では、低圧配電線等の下位の配電線（第１配電線）に太陽光発電機等の自然エネルギーを利用した発電機が接続された階層的な電力系統において、第１配電線に付設された第１情報処理装置が、当該第１配電線における需給差（第１需給差）と、その直系上位の配電線の需給差（第２需給差、第３需給差）とに基づき、当該第１配電線に接続している負荷への電力供給を制御する。このため、第１配電線とその直系上位の配電線間で余剰電力を有効に利用することができる。またこのように余剰電力を融通することで、上位側の潮流変動を防ぐことができる。またこれにより電力系統に設定される需給調整しろを緩和することができる。
【００１０】
また第１情報処理装置の夫々は、他局制御権信号を現在、受信中であるか否かを判断し、受信中でなければ、自身が電力制御の制御権を現在、要求中又は取得中であることを示す信号である自局制御権信号を送信するとともに第１乃至第３電力制御を開始するので、複数の第１情報処理装置により第１乃至第３階層電力制御の制御権が同時に取得され、同一の負荷に対して同時に第１乃至第３階層電力制御がされてしまうのを確実に防ぐことができ、過制御やハンチングを防ぐことができる。
【００１１】
本発明の他の一つは、上記電力供給システムの制御方法であって、前記第１情報処理装置の夫々は、
前記第１階層電力制御を行うに際し、前記第１他局制御権信号を受信中であるか否かを判断し、前記第１他局制御権信号を受信中であれば所定時間待機した後、再度前記第１他局制御権信号を受信中であるか否かを判断し、受信中でなければ前記第１自局制御権信号を他の前記第１情報処理装置に対して送信するとともに前記第１階層電力制御を開始し、
前記第２階層電力制御を行うに際し、前記第２他局制御権信号を受信中であるか否かを判断し、前記第２他局制御権信号を受信中であれば所定時間待機した後、再度前記第２他局制御権信号を受信中であるか否かを判断し、受信中でなければ前記第２自局制御権信号を他の前記第１情報処理装置に対して送信するとともに前記第２階層電力制御を開始し、
前記第３階層電力制御を行うに際し、前記第３他局制御権信号を受信中であるか否かを判断し、前記第３他局制御権信号を受信中であれば所定時間待機した後、再度前記第３他局制御権信号を受信中であるか否かを判断し、受信中でなければ前記第３自局制御権信号を他の前記第１情報処理装置に対して送信するとともに前記第３階層電力制御を開始することとする。
【００１２】
このように本発明では、電力制御を行うに際し、他局制御権信号を現在、受信中であるか否かを判断し、受信中であれば所定時間待機した後に、再度他局制御権信号を現在、受信中であるか否かを判断し、受信中でなければ自局制御権信号を他の第１情報処理装置に対して送信するとともに第１乃至第３階層電力制御を開始するので、同一の負荷に対して同時に第１乃至第３階層電力制御がされてしまうのを確実に防ぐことができ、過制御やハンチングを防ぐことができる。
【００１３】
本発明の他の一つは、上記電力供給システムの制御方法であって、前記第１情報処理装置の夫々は、
前記第１階層電力制御を行うに際し、前記第１他局制御権信号を受信中であるか否かを判断し、前記第１他局制御権信号を受信中でなければ前記第１自局制御権信号を他の前記第１情報処理装置に対して送信するとともに所定時間待機し、再度前記第１他局制御権信号を受信中であるか否かを判断し、受信中でなければ前記第１階層電力制御を開始し、
前記第２階層電力制御を行うに際し、前記第２他局制御権信号を受信中であるか否かを判断し、前記第２他局制御権信号を受信中でなければ前記第２自局制御権信号を他の前記第１情報処理装置に対して送信するとともに所定時間待機し、再度前記第２他局制御権信号を受信中であるか否かを判断し、受信中でなければ前記第２階層電力制御を開始し、
前記第３階層電力制御を行うに際し、前記第３他局制御権信号を受信中であるか否かを判断し、前記第３他局制御権信号を受信中でなければ前記第３自局制御権信号を他の前記第１情報処理装置に対して送信するとともに所定時間待機し、再度前記第３他局制御権信号を受信中であるか否かを判断し、受信中でなければ前記第３階層電力制御を開始することとする。
【００１４】
このように、電力制御を行うに際し、他局制御権信号を現在、受信中であるか否かを判断し、受信中でなければ自局制御権信号を他の第１情報処理装置に対して送信するとともに所定時間待機し、再度他局制御権信号を現在、受信中であるか否かを調べ、受信中でなければ第１乃至第３電力制御を開始するので、同一の負荷に対して同時に第１乃至第３階層電力制御がされてしまうのをより確実に防ぐことができ、過制御やハンチングを防ぐことができる。
【００１５】
本発明の他の一つは、上記電力供給システムの制御方法であって、前記第２情報処理装置の夫々は、直系下位の第１情報処理装置から送られてきた第１自局制御権信号、及び第１他局制御権信号については直系下位の第１情報処理装置に転送し、直系下位の第１情報処理装置から送られてきた第２自局制御権信号、第２他局制御権信号、第３自局制御権信号、及び第３他局制御権信号については直系下位の第１情報処理装置及び直系上位の第３情報処理装置に転送し、
前記第３情報処理装置の夫々は、直系下位の第２情報処理装置から送られてきた第２自局制御権信号、第２他局制御権信号、第３自局制御権信号、及び第３他局制御権信号を直系下位の第２情報処理装置に転送することとする。
【００１６】
このように本発明では、第２情報処理装置は、第１情報処理装置又は第３情報処理装置に対して、必要な信号だけを転送するので、不必要に通信トラフィックを上昇させることがなく効率的に通信を行うことができる。
【００１７】
本発明の他の一つは、上記電力供給システムの制御方法であって、前記第１情報処理装置は、前記第１需給差に基づき夫々が付設されている前記第１配電線の余剰電力の有無を判断し、余剰電力が有れば前記第１配電線に接続している前記負荷に電力を供給し、前記第１配電線に余剰電力が無ければ、前記第２需給差に基づき前記第１配電線の直系上位に接続している前記第２配電線の余剰電力の有無を判断し、前記第２配電線に余剰電力が有れば前記第１配電線に接続している前記負荷に電力を供給し、前記第１配電線及び前記第２配電線のいずれにも余剰電力が無ければ、さらに前記第３需給差に基づき前記第１配電線の直系上位に接続している前記第３配電線の余剰電力の有無を判断し、前記第３配電線に余剰電力が有れば前記第１配電線に接続している前記負荷に電力を供給することとする。
【００１８】
このように本発明では、第１情報処理装置が、第１配電線から順にその直系上位を辿って余剰電力の有無を判断し、余剰電力が生じている配電線が有れば第１配電線に接続している負荷への電力供給を行う。これによれば、下位側の配電線の余剰電力が負荷に有効に提供されて下位側の配電線の需給差が緩和され、上位側の潮流変動を防ぐことができる。
【００１９】
本発明の他の一つは、上記電力供給システムの制御方法であって、前記発電機は太陽光発電機であり、前記負荷は電気自動車の蓄電池であることとする。
【００２０】
その他、本願が開示する課題、及びその解決方法は、発明を実施するための形態の欄、及び図面により明らかにされる。
【発明の効果】
【００２１】
本発明によれば、電力系統における潮流変動を抑制することができる。
【図面の簡単な説明】
【００２２】
【図１】電力供給システム１の概略的な構成図である。
【図２Ａ】第１情報処理装置１０のハードウエア構成を示す図である。
【図２Ｂ】第２乃至第４情報処理装置２０，３０，４０のハードウエア構成を示す図である。
【図３】計測装置８のハードウエア構成を示す図である。
【図４】第１情報処理装置１０の機能を示す図である。
【図５】計測値データベース４３０に格納されるデータのレコードの構成を示す図である。
【図６Ａ】第２情報処理装置２０の機能を示す図である。
【図６Ｂ】第３情報処理装置３０の機能を示す図である。
【図６Ｃ】第４情報処理装置４０の機能を示す図である。
【図７】第１情報処理装置１０によって行われる処理Ｓ７００を説明するフローチャートである。
【図８Ａ】電力供給制御処理Ｓ７２８を説明するフローチャートである。
【図８Ｂ】電力供給開始処理Ｓ８５０を説明するフローチャートである。
【図８Ｃ】電力供給停止処理Ｓ８６０を説明するフローチャートである。
【図９】転送処理Ｓ１０００を説明するフローチャートである。
【図１０】転送処理Ｓ１１００を説明するフローチャートである。
【図１１】転送処理Ｓ１２００を説明するフローチャートである。
【図１２】転送処理Ｓ１３００を説明するフローチャートである。
【図１３】発電機５の発電機出力、負荷６の電力消費量、第１需給差Ｐｔ、第２需給差Ｐｆ、第３需給差Ｐｂ、及び第４需給差Ｐｓに具体的な数値を設定した場合の電力供給システム１の模式図である。
【発明を実施するための形態】
【００２３】
［第１実施例］
図１に第１実施例として説明する電力供給システム１の概略的な構成を示している。同図に示すように、電力供給システム１は、発電機５及び負荷６が接続する第１配電線１０１と、第１変圧器５１を介して第１配電線１０１の上位（発電所側）に接続する第２配電線１０２と、第１遮断器５２を介して第２配電線１０２の上位に接続する第３配電線１０３と、第２遮断器５３及び第２変圧器５４を介して第３配電線１０３の上位に接続する第４配電線１０４と、第３遮断器５５を介して第４配電線１０４の上位に接続する第５配電線１０５とを含む。
【００２４】
第１配電線１０１は、例えば商用電力系統の需要家側に設けられる低圧配電線である。第２配電線１０２及び第３配電線１０３は、例えば商用電力系統において、変電所と柱上変圧器との間に設けられる高圧配電線である。第４配電線１０４は、変電所に設けられる高圧配電線である。第５配電線１０５は、発電所と変電所との間に設けられる高圧配電線である。第１変圧器５１は、例えば柱上変圧器や地中変圧器である。
【００２５】
尚、以下の説明において、一の第１配電線１０１とその第１配電線１０１に接続している発電機５及び負荷６を要素とする集合のことを第１グリッド７１（低圧グリッド）と称する。本実施形態では、第１グリッド７１は第１変圧器５１ごとに存在するものとする。
【００２６】
また一の第２配電線１０２とその下位に存在する全ての第１グリッド７１を要素とする集合のことを第２グリッド７２（高圧グリッド）と称する。本実施形態では、第２グリッド７２は、第１遮断器５２ごとに存在するものとする。
【００２７】
また一の第３配電線１０３とその下位に存在する全ての第２グリッド７２を要素とする集合のことを第３グリッド７３（バンクグリッド）と称する。本実施形態では、第３グリッド７３は第２遮断器５３ごとに存在するものとする。
【００２８】
また一の第４配電線１０４とその下位に存在する全ての第３グリッド７３を要素とする集合のことを第４グリッド７４（変電所グリッド）と称する。本実施形態では、第４グリッド７４は第３遮断器５５ごとに存在するものとする。
【００２９】
このように電力供給システム１における配電線は、第１配電線１０１を最下位層とし、第２配電線１０２、第３配電線１０３、第４配電線１０４の順に階層化されて管理されている。以下の説明において、第１配電線１０１は第１階層、第２配電線１０２は第２階層、第３配電線１０３は第３階層、第４配電線１０４は第４階層であるものとする。
【００３０】
第１配電線１０１に接続している発電機５は、例えば自然エネルギーを利用した発電機（太陽光発電機、水力発電、風力発電機等）である。また第１配電線１０１に接続している負荷６は、例えば自然エネルギーを利用した発電機の出力を利用する装置として好適なものが選択される。そのような負荷として、例えば蓄電負荷（電気自動車（ＥＶ）のバッテリー、電気自動車等に用いる蓄電池等）や蓄熱負荷（給湯器や業務用蓄熱式空調等）がある。尚、以下の説明において、第１配電線１０１に接続している複数の負荷６のうち、注目している一の負荷６のことを自負荷と称し、自負荷外の他の負荷６のことを他負荷と称する。
【００３１】
第１配電線１０１に接続している負荷６の夫々には、第１情報処理装置１０（不図示）が付設されている。第１情報処理装置１０は、夫々が付設されている負荷６（自負荷）が接続している第１配電線１０１に接続している発電機５の出力と負荷６の電力消費量とを取得し、取得した発電機出力及び電力消費量に基づき、自負荷が接続している第１配電線１０１における需給差（以下、第１需給差と称する。）を求め、求めた第１需給差を当該第１配電線１０１の上位に接続している第２配電線１０２に付設されている後述の第２情報処理装置２０に送信する。また第１情報処理装置１０は、求めた第１需給差及び後述の第２乃至第４需給差に基づき自負荷が接続している第１配電線１０１に接続している負荷６への電力供給を制御する。
【００３２】
第２配電線１０２の夫々には、夫々の下位に接続している第１配電線１０１に付設されている全ての第１情報処理装置１０と通信可能に接続される第２情報処理装置２０（不図示）が付設されている。第２情報処理装置２０は、夫々が付設されている第２配電線１０２の下位に接続している第１配電線１０１の夫々から第１需給差を取得し、取得した第１需給差に基づき、当該第２配電線１０２における需給差（以下、第２需給差と称する。）を求め、求めた第２需給差を第１情報処理装置１０及び後述の第３情報処理装置３０に送信（ブロードキャスト）する。
【００３３】
第３配電線１０３の夫々には、夫々の下位に接続している第２配電線１０２に付設されている全ての第２情報処理装置２０と通信可能に接続される第３情報処理装置３０（不図示）が付設されている。第３情報処理装置３０は、夫々が付設されている第３配電線１０３の下位に接続している第２配電線１０２の夫々から第２需給差を取得し、取得した第２需給差に基づき、当該第３配電線１０３における需給差（以下、第３需給差と称する。）を求め、求めた第３需給差を第１情報処理装置１０及び後述の第４情報処理装置４０に送信（ブロードキャスト）する。
【００３４】
第４配電線１０４の夫々には、夫々の下位に接続している第３配電線１０３に付設されている全ての第３情報処理装置３０と通信可能に接続される第４情報処理装置４０（不図示）が付設されている。第４情報処理装置４０は、夫々が付設されている第４配電線１０４の下位に接続している第３配電線１０３の夫々から第３需給差を取得し、取得した第３需給差に基づき、当該第４配電線１０４における需給差（以下、第４需給差と称する。）を求め、求めた第４需給差を第１情報処理装置１０に送信する。
【００３５】
発電機５の夫々には、夫々が接続している第１配電線１０１の負荷６に付設されている第１情報処理装置１０と通信可能に接続し、夫々の出力（以下、発電機出力と称する。）を計測して上記第１情報処理装置１０に送信（ブロードキャスト）する計測装置８（不図示）が付設されている。計測装置８は、計測した発電機出力を、夫々が付設されている発電機５が接続している第１配電線１０１に接続している負荷６に付設されている全ての第１情報処理装置１０に送信（ブロードキャスト）する。
【００３６】
尚、計測装置８と第１情報処理装置１０との間、第１情報処理装置１０と第２情報処理装置２０との間、第２情報処理装置２０と第３情報処理装置３０との間、及び第３情報処理装置３０と第４情報処理装置４０との間は、例えばＬＡＮ、ＷＡＮ、インターネット、電力線通信（PLC（Power Line Communication））、専用線（電力系統制御用情報伝送システム（CDT：Cyclic Digital data Transmission equipment）、メタル線、光ファイバ等）によって、通信可能に接続されている。
【００３７】
図２Ａに第１情報処理装置１０のハードウエア構成を示している。同図に示すように、第１情報処理装置１０は、ＣＰＵ２１１と、ＲＡＭ・ＲＯＭ等のメモリ２１２と、ハードディスク等の記憶装置２１３と、キーボードやマウス等の入力装置２１４と、液晶ディスプレイ等の表示装置２１５と、通信回路２１６と、ＲＴＣ（Real Time Clock）等を用いて構成され現在日時等の日時情報（タイムスタンプ）を生成する計時回路２１７と、負荷の電力消費量を計測する計測回路２１８と、負荷への電力供給を制御する制御回路２１９とを備えている。
【００３８】
図２Ｂに第２情報処理装置２０のハードウエア構成を示している。同図に示すように、第２情報処理装置２０は、ＣＰＵ３１１及びメモリ３１２と、通信回路３１３とを備えている。尚、第３情報処理装置３０及び第４情報処理装置４０も第２情報処理装置２０と同様のハードウエア構成を有している。
【００３９】
図３に計測装置８のハードウエア構成を示す。同図に示すように、計測装置８は、ＣＰＵ８１及びメモリ８２と、第１情報処理装置１０と通信するための通信回路８３と、発電機５の発電機出力を計測する計測回路８４とを備えている。
【００４０】
図４に第１情報処理装置１０の機能を示している。同図に示すように、第１情報処理装置１０は、電力消費量計測部４１１、自負荷情報送信部４１２、他負荷情報受信部４１３、発電機出力受信部４１４、需給差算出部４１５、需給差送信部４１６、需給差受信部４１７、電力供給制御部４１８、及び制御権取得部４１９を備えている。制御権取得部４１９は制御権信号送信部４１９１、及び制御権信号受信部４１９２を含む。
尚、これらの機能は、第１情報処理装置１０のハードウエアによって、もしくは、第１情報処理装置１０のＣＰＵ２１１が、メモリ２１２又は記憶装置２１３に格納されているプログラムを読み出して実行することにより実現される。
【００４１】
また同図に示すように、第１情報処理装置１０は、計測値データベース４３０を備えている。計測値データベース４３０は、例えば第１情報処理装置１０において動作するＤＢＭＳ（Data Base Management System）によって管理される。
【００４２】
図４に示した機能のうち、電力消費量計測部４１１は、負荷６の電力消費量（以下、自負荷電力消費量と称する。）を計測し、計測した自負荷電力消費量を計測時刻（タイムスタンプ）に対応づけて計測値データベース４３０に格納する。
【００４３】
自負荷情報送信部４１２は、計測した自負荷電力消費量を、当該第１情報処理装置１０が付設されている自負荷と同じ第１配電線１０１に接続している他負荷に付設されている第１情報処理装置１０に送信（ブロードキャスト）する。尚、送信する情報には、自負荷の識別子が付帯する。
【００４４】
他負荷情報受信部４１３は、当該第１情報処理装置１０が付設されている自負荷と同じ第１配電線１０１に接続している他負荷に付設されている第１情報処理装置１０から送られてくる他負荷の電力消費量（以下、他負荷電力消費量と称する。）を、当該他負荷の識別子とともに受信し、受信した他負荷電力消費量を、上記識別子及びその他負荷電力消費量の計測時刻（タイムスタンプ）と対応づけて、計測値データベース４３０に格納する。
【００４５】
発電機出力受信部４１４は、当該第１情報処理装置１０が付設されている自負荷と同じ第１配電線１０１に接続している発電機５に付設されている計測装置８から送られてくる発電機出力を、その計測装置８が付設されている発電機５の識別子とともに受信し、受信した発電機出力を、上記識別子及びその発電機出力の計測時刻（タイムスタンプ）と対応づけて、計測値データベース４３０に格納する。
【００４６】
需給差算出部４１５は、電力消費量計測部４１１により計測された自負荷電力消費量と、他負荷情報受信部４１３が受信した他負荷電力消費量と、発電機出力受信部４１４が取得した発電機出力とを合計することにより、当該第１情報処理装置１０が付設されている負荷６が存在する第１配電線１０１における需給差（以下、第１需給差と称する。）を算出する。
【００４７】
需給差送信部４１６は、需給差算出部４１５が算出した第１需給差を、当該第１情報処理装置１０が付設されている負荷６が接続している第１配電線１０１の直系上位の第２配電線１０２に付設されている第２情報処理装置２０に送信する。
【００４８】
需給差受信部４１７は、当該第１情報処理装置１０が付設されている負荷６が接続している第１配電線１０１の直系上位の、第２配電線１０２、第３配電線１０３、及び第４配電線１０４の夫々に付設されている、第２情報処理装置２０、第３情報処理装置３０、及び第４情報処理装置４０の夫々から、後述の第２需給差、第３需給差、及び第４需給差を受信する。
【００４９】
電力供給制御部４１８は、需給差算出部４１５が算出した第１需給差に基づく、当該第１情報処理装置１０が付設されている第１配電線１０１（第１階層）に接続している負荷６に対する電力供給の制御（以下、第１階層電力制御と称する。）を行う。
【００５０】
電力供給制御部４１８は、受信した第２需給差に基づく、当該第１情報処理装置１０が付設されている第１配電線１０１の直系上位の第２配電線１０２（第２階層）に接続している負荷６に対する電力供給の制御（以下、第２階層電力制御と称する。）を行う。
【００５１】
電力供給制御部４１８は、受信した第３需給差に基づく、当該第１情報処理装置１０が付設されている第１配電線１０１の直系上位の第３配電線１０３（第３階層）に接続している負荷に対する電力供給の制御（以下、第３階層電力制御と称する。）を行う。
【００５２】
電力供給制御部４１８は、受信した第４需給差に基づく、当該第１情報処理装置１０が付設されている第１配電線１０１の直系上位の第４配電線１０４（第４階層）に接続している負荷に対する電力供給の制御（以下、第４階層電力制御と称する。）を行う。
【００５３】
第１乃至第４階層電力制御は、例えば負荷６への電力の供給をオンオフしたり、供給電圧を増減することにより行われる。
【００５４】
制御権信号送信部４１９１は、自局（当該制御権信号送信部４１９１が所属する第１情報処理装置１０）が、第１階層電力制御の制御権（以下、第１階層制御権と称する。）を現在、要求中又は取得中であることを示す信号（以下、第１自局制御権信号と称する。）を他の第１情報処理装置１０（以下、「他局」と称する。）に対して送信する。
【００５５】
また制御権信号送信部４１９１は、自局が、第２階層電力制御の制御権（以下、第２階層制御権と称する。）を現在、要求中又は取得中であることを示す信号（以下、第２自局制御権信号と称する。）を他の第１情報処理装置１０に対して送信する。
【００５６】
また制御権信号送信部４１９１は、自局が、第３階層電力制御の制御権（以下、第３階層制御権と称する。）を現在、要求中又は取得中であることを示す信号（以下、第３自局制御権信号と称する。）を他の第１情報処理装置１０に対して送信する。
【００５７】
また制御権信号送信部４１９１は、自局が、第４階層電力制御の制御権（以下、第４階層制御権と称する。）を現在、要求中又は取得中であることを示す信号（以下、第４自局制御権信号と称する。）を他の第１情報処理装置１０に対して送信する。
【００５８】
尚、以下の説明において、第１階層制御権、第２階層制御権、第３階層制御権、及び第４階層制御権を総称して「制御権」と称する。また第１自局制御権信号、第２自局制御権信号、第３自局制御権信号、及び第４自局制御権信号を総称して「自局制御権信号」と称する。
【００５９】
制御権信号受信部４１９２は、他の第１情報処理装置１０が第１階層制御権を現在、要求中又は取得中であるか否かを示す信号（以下、第１他局制御権信号と称する。）を受信する。
【００６０】
制御権信号受信部４１９２は、他の第１情報処理装置１０が第２階層制御権を現在、要求中又は取得中であるか否かを示す信号（以下、第２他局制御権信号と称する。）を受信する。
【００６１】
制御権信号受信部４１９２は、他の第１情報処理装置１０が第３階層制御権を現在、要求中又は取得中であるか否かを示す信号（以下、第３他局制御権信号と称する。）を受信する。
【００６２】
制御権信号受信部４１９２は、他の第１情報処理装置１０が第４階層制御権を現在、要求中又は取得中であるか否かを示す信号（以下、第４他局制御権信号と称する。）を受信する。
【００６３】
尚、以下の説明において、第１他局制御権信号、第２他局制御権信号、第３他局制御権信号、及び第４他局制御権信号を総称して「他局制御権信号」と称する場合がある。
【００６４】
制御権取得部４１９は、第１階層電力制御を行うに際し、他の第１情報処理装置１０が第１階層制御権を現在、要求中又は取得中であるか否かを判断し、要求中でも取得中でもでなければ第１自局制御権信号を他の第１情報処理装置１０に対して送信するとともに第１階層電力制御を開始する。一方、他の第１情報処理装置１０が第１階層制御権を現在、要求中又は取得中であれば第１階層電力制御を開始しない。
【００６５】
また制御権取得部４１９は、第２階層電力制御を行うに際し、他の第１情報処理装置１０が第２階層制御権を現在、要求中又は取得中であるか否かを判断し、要求中でも取得中でもでなければ第２自局制御権信号を他の第１情報処理装置１０に対して送信するとともに第２階層電力制御を開始する。一方、他の第１情報処理装置１０が第２階層制御権を現在、要求中又は取得中であれば第２階層電力制御を開始しない。
【００６６】
また制御権取得部４１９は、第３階層電力制御を行うに際し、他の第１情報処理装置１０が第３階層制御権を現在、要求中又は取得中であるか否かを判断し、要求中でも取得中でもでなければ第３自局制御権信号を他の第１情報処理装置１０に対して送信するとともに第３階層電力制御を開始する。一方、他の第１情報処理装置１０が第３階層制御権を現在、要求中又は取得中であれば第３階層電力制御を開始しない。
【００６７】
また制御権取得部４１９は、第４階層電力制御を行うに際し、他の第１情報処理装置１０が第３階層制御権を現在、要求中又は取得中であるか否かを判断し、要求中でも取得中でもでなければ第４自局制御権信号を他の第１情報処理装置１０に対して送信するとともに第４階層電力制御を開始する。一方、他の第１情報処理装置１０が第３階層制御権を現在、要求中又は取得中であれば第４階層電力制御を開始しない。
【００６８】
図５に計測値データベース４３０に格納されるデータのレコードの構成を示している。同図に示すように、このレコードは、計測値種別４３０１、識別子４３０２、計測値４３０３、及び取得日時４３０４の各項目を含む。このうち計測値種別４３０１には、当該レコードに設定されている計測値が、発電機５の発電機出力であるのか、負荷６の電力消費量であるのかを示す値が設定される。識別子４３０２には、そのレコードがどの発電機５又は負荷６についてのものであるのかを示す識別子（発電機５又は負荷６ごとに固有に付与される識別子）が設定される。計測値４３０３には、計測値（発電機出力又は電力消費量）が設定される。取得日時４３０４には、その計測値の取得日時（タイムスタンプ）が設定される。
【００６９】
図６Ａに第２情報処理装置２０の機能を示している。同図に示すように、第２情報処理装置２０は、下位需給差合計算出部６１１、下位需給差合計送信部６１２、及び第２制御権信号転送部６１３の各機能を有する。尚、同図に示す機能は、第２情報処理装置２０のハードウエアによって、もしくは、第２情報処理装置２０のＣＰＵ３１１が、メモリ３１２又は記憶装置３１３に格納されているプログラムを読み出して実行することにより実現される。
【００７０】
下位需給差合計算出部６１１は、当該第２情報処理装置２０が付設されている第２配電線１０２の直系下位の第１配電線１０１に接続している負荷６に付設されている全ての第１情報処理装置１０（以下、直系下位の第１情報処理装置１０と称する。）の夫々から第１需給差を受信し、受信した第１需給差を合計することにより、第２配電線１０２における需給差（以下、第２需給差と称する。）を求める。
【００７１】
下位需給差合計送信部６１２は、求めた第２需給差を、直系下位の全ての第１情報処理装置１０、及び当該第２情報処理装置２０が付設されている第２配電線１０２の直系上位の第３配電線１０３に付設されている第３情報処理装置３０に送信（ブロードキャスト）する。
【００７２】
第２制御権信号転送部６１３は、送られてきた自局制御権信号又は他局制御権信号を直系下位の全ての第１情報処理装置１０、及び当該第２情報処理装置２０が付設されている第２配電線１０２の直系上位の第３配電線１０３に付設されている第３情報処理装置３０に転送（ブロードキャスト）する。尚、以下、自局制御権信号及び他局制御権信号を「制御権信号」と総称する。
【００７３】
図６Ｂに第３情報処理装置３０の機能を示している。同図に示すように、第３情報処理装置３０は、下位需給差合計算出部６２１、下位需給差合計送信部６２２、及び第３制御権信号転送部６２３の各機能を有する。尚、同図に示す機能は、第３情報処理装置３０のハードウエアによって、もしくは、第３情報処理装置３０のＣＰＵ３１１が、メモリ３１２又は記憶装置３１３に格納されているプログラムを読み出して実行することにより実現される。
【００７４】
下位需給差合計算出部６２１は、当該第３情報処理装置３０が付設されている第３配電線１０３の直系下位の第２配電線１０２に付設されている全ての第２情報処理装置２０（以下、直系下位の第２情報処理装置２０と称する。）の夫々から第２需給差を受信し、受信した第２需給差を合計することにより、第３配電線１０３における需給差（以下、第３需給差と称する。）を求める。
【００７５】
下位需給差合計送信部６２２は、求めた第３需給差を、直系下位の全ての第１情報処理装置１０、及び当該第３情報処理装置３０が付設されている第３配電線１０３の直系上位の第４配電線１０４に付設されている第４情報処理装置４０に送信（ブロードキャスト）する。尚、第３情報処理装置３０から第１情報処理装置１０へのデータの送信（ブロードキャスト）は、直系下位の第２情報処理装置２０を介して行われる。
【００７６】
第３制御権信号転送部６２３は、送られてきた制御権信号を直系下位の全ての第１情報処理装置１０、及び当該第３情報処理装置３０が付設されている第３配電線１０３の直系上位の第４配電線１０４に付設されている第４情報処理装置４０に転送（ブロードキャスト）する。
【００７７】
図６Ｃに第４情報処理装置４０の機能を示している。同図に示すように、第４情報処理装置４０は、下位需給差合計算出部６３１、下位需給差合計送信部６３２、及び第４制御権信号転送部６３３の各機能を有する。尚、同図に示す機能は、第４情報処理装置４０のハードウエアによって、もしくは、第４情報処理装置４０のＣＰＵ３１１が、メモリ３１２又は記憶装置３１３に格納されているプログラムを読み出して実行することにより実現される。
【００７８】
下位需給差合計算出部６３１は、当該第４情報処理装置４０が付設されている第４配電線１０４の直系下位の第３配電線１０３に付設されている全ての第３情報処理装置３０（以下、直系下位の第３情報処理装置３０と称する。）の夫々から第３需給差を受信し、受信した全ての第３需給差を合計することにより、第４配電線１０４における需給差（以下、第４需給差と称する。）を求める。
【００７９】
下位需給差合計送信部６３２は、求めた第４需給差を、直系下位の全ての第１情報処理装置１０に送信（ブロードキャスト）する。尚、第４情報処理装置４０から第１情報処理装置１０へのデータの送信は、第２情報処理装置２０及び第３情報処理装置３０を介して行われる。
【００８０】
第４制御権信号転送部６３３は、送られてきた制御権信号を直系下位の全ての第３情報処理装置３０に転送（ブロードキャスト）する。
【００８１】
次に第１情報処理装置１０によって行われる処理について説明する。図７は上記処理を説明するフローチャートである。
【００８２】
Ｓ７１０では、第１情報処理装置１０は、現在時刻が電気料金の割引時間帯であるか否かを判断する。割引時間帯であれば（Ｓ７１０：ＹＥＳ）、充電器をオンする（Ｓ７１１）。割引時間帯でなければ、Ｓ７２１に進む。
【００８３】
Ｓ７２１では、電力消費量計測部４１１が、自負荷電力消費量を計測し、計測した自負荷電力消費量を計測値データベース４３０に格納する。次に自負荷情報送信部４１２が、計測した自負荷電力消費量を、当該第１情報処理装置１０が付設されている自負荷が接続している第１配電線１０１に接続している他負荷に付設されている第１情報処理装置１０に送信（ブロードキャスト）する（Ｓ７２２）。
【００８４】
次に他負荷情報受信部４１３が、当該第１情報処理装置１０が付設されている自負荷が接続している第１配電線１０１に接続している他負荷に付設されている第１情報処理装置１０から送られてくる他負荷電力消費量を受信し、受信した他負荷電力消費量を計測値データベース４３０に格納する（Ｓ７２３）。
【００８５】
次に発電機出力受信部４１４が、当該第１情報処理装置１０が付設されている自負荷が接続している第１配電線１０１に接続している発電機５に付設されている計測装置８から送られてくる発電機出力を受信し、受信した発電機出力を計測値データベース４３０に格納する（Ｓ７２４）。
【００８６】
次に需給差算出部４１５が、Ｓ７２１で計測した自負荷電力消費量と、Ｓ７２２で取得した他負荷電力消費量と、Ｓ７２３で取得した発電機出力とを合計することにより第１需給差Ｐｔを算出する（Ｓ７２５）。
【００８７】
次に需給差送信部４１６が、需給差算出部４１５が算出した第１需給差Ｐｔを、当該第１情報処理装置１０が付設されている負荷６が接続している第１配電線１０１の直系上位の第２配電線１０２に付設されている第２情報処理装置２０に送信する（Ｓ７２６）。
【００８８】
次に需給差受信部４１７が、当該第１情報処理装置１０が付設されている負荷６が接続している第１配電線１０１の直系上位の、第２配電線１０２、第３配電線１０３、及び第４配電線１０４の夫々に付設されている、第２情報処理装置２０、第３情報処理装置３０、及び第４情報処理装置４０の夫々から、第２需給差Ｐｆ、第３需給差Ｐｂ、及び第４需給差Ｐｓを受信する（Ｓ７２７）。
【００８９】
次に電力供給制御部４１８が、需給差算出部４１５が算出した第１需給差Ｐｔと、需給差受信部４１７が受信した、第２需給差Ｐｆ、第３需給差Ｐｂ、及び第４需給差Ｐｓとに基づき、当該第１情報処理装置１０が付設されている負荷６への電力供給を制御する（Ｓ７２８）。同処理の詳細は後述する。
【００９０】
Ｓ７１５では、第１情報処理装置１０は、当該第１情報処理装置１０が付設されている負荷６の充電が完了したか否かを判断する。完了していれば（Ｓ７１５：ＹＥＳ）、処理が終了する。完了していなければ（Ｓ７１５：ＮＯ）、Ｓ７１０に戻る。
【００９１】
＜電力供給制御処理Ｓ７２８＞
次に図７のＳ７２８の処理（以下、電力供給制御処理Ｓ７２８と称する。）について説明する。図８Ａ、図８Ｂ、及び図８Ｃは電力供給制御処理Ｓ７２８の詳細を説明するフローチャートである。以下、これらの図を用いて説明する。
【００９２】
図８Ａに示すように、制御権取得部４１９は、第１需給差Ｐｔが正値（電力余剰）であるか否かを判断する（Ｓ８０１）。制御権取得部４１９は、第１需給差Ｐｔが正値であれば（Ｓ８０１：ＹＥＳ）Ｓ８０２に進み、第１需給差Ｐｔが正値ない場合は（Ｓ８０１：ＮＯ）Ｓ８１１に進む。
【００９３】
Ｓ８０２では、制御権取得部４１９は、他局から送られてくる第１他局制御権信号の状態を調べ、他局が第１階層制御権を現在、要求中又は取得中であるか否かを判断する。他局が第１階層制御権を現在、要求中又は取得中である場合は（Ｓ８０２：ＹＥＳ）、Ｓ８０８に進む。他方、他局が第１階層制御権を現在、要求中でも取得中でもない場合は（Ｓ８０２：ＮＯ）、Ｓ８０３に進む。
【００９４】
Ｓ８０８では、制御権取得部４１９は、所定の待機時間（以下、第１待機時間と称する。）を生成し、生成した第１待機時間だけ待機する（Ｓ８０９）。その後は図７に戻りＳ７１５に進む。尚、Ｓ８０８において制御権取得部４１９は、次回の第１階層制御権の取得要求がなるべく他局と同じタイミングで送出されないようにするために、例えば第１待機時間の値をランダム値とする。
【００９５】
Ｓ８０３では、制御権取得部４１９は、第１自局制御権信号を直系上位の第２配電線１０２に接続している第２情報処理装置２０に送信する。その後は電力供給開始処理Ｓ８５０に進む。
【００９６】
図８Ｂに示す電力供給開始処理Ｓ８５０では、まず制御権取得部４１９は所定の待機時間（以下、第２待機時間と称する。）だけ待機する（Ｓ８０４）。
【００９７】
Ｓ８０５では、制御権取得部４１９は、他局から送られてくる第１他局制御権信号の状態を調べ、他局が現在、第１階層制御権を要求中又は取得中であるか否かを判断する。制御権取得部４１９は、他局が第１階層制御権を現在、要求中又は取得中である場合は（Ｓ８０５：ＹＥＳ）Ｓ８０８に進む。他方、他局が第１階層制御権を現在、要求中でも取得中でもない場合は（Ｓ８０５：ＮＯ）Ｓ８０６に進む。
【００９８】
Ｓ８０６では、電力供給制御部４１８が、計測値データベース４３０から、当該第１情報処理装置１０が付設されている負荷６が接続する第１配電線１０１に接続する全ての負荷６の現在時刻から過去所定時間内における電力消費量を取得し、上記所定時間内における電力消費量が最大の負荷６が、当該第１情報処理装置１０が付設されている負荷６（自負荷）であるか否かを判断する。そして電力供給制御部４１８は、自負荷の電力消費量が最大であれば（Ｓ８０６：ＹＥＳ）、負荷６への電力供給を行う（例えば電気自動車の蓄電池の充電器をオンする）（Ｓ８０７）。一方、自負荷の電力消費量が最大でなければ（Ｓ８０６：ＮＯ）、図７に戻りＳ７１５に進む。
【００９９】
ところで、Ｓ８０９において第１待機時間だけ待機する際、制御権取得部４１９が最新の第１需給差を求め、その結果、第１階層電力制御が最早不要であると判断した場合は自負荷の制御（Ｓ８０７）を行わないようにしてもよい（その場合は例えば図７に戻りＳ７１５に進む。）。
【０１００】
図８Ａに戻り、Ｓ８１１では、制御権取得部４１９は、第２需給差Ｐｆが正値（電力余剰）であるか否かを判断する。制御権取得部４１９は、第２需給差Ｐｆが正値であれば（Ｓ８１１：ＹＥＳ）Ｓ８１２に進み、第２需給差Ｐｆが正値でなければ（Ｓ８１１：ＮＯ）Ｓ８２１に進む。
【０１０１】
Ｓ８１２では、制御権取得部４１９は、他局から送られてくる第２他局制御権信号の状態を調べ、他局が第２階層制御権を現在、要求中又は取得中であるか否かを判断する。他局が第２階層制御権を現在、要求中又は取得中である場合は（Ｓ８１２：ＹＥＳ）、Ｓ８０８に進む。他方、他局が第２階層制御権を現在、要求中でも取得中でもない場合は（Ｓ８１２：ＮＯ）、Ｓ８１３に進む。
【０１０２】
Ｓ８１３では、制御権取得部４１９は、第２自局制御権信号を直系上位の第２配電線１０２に接続している第２情報処理装置２０に送信する。その後は電力供給開始処理Ｓ８５０に進み、制御権取得部４１９は、第２待機時間だけ待機した後、他局が現在、第２階層制御権を要求中又は取得中であるか否かを判断してから電力供給を開始する。
【０１０３】
すなわち、まず制御権取得部４１９は、他局から送られてくる第２他局制御権信号の状態を調べ、他局が現在、第２階層制御権を要求中又は取得中であるか否かを判断する。制御権取得部４１９は、他局が第２階層制御権を現在、要求中又は取得中である場合は（Ｓ８０５：ＹＥＳ）、Ｓ８０８に進む。他方、他局が第２階層制御権を現在、要求中でも取得中でもない場合は（Ｓ８０５：ＮＯ）、Ｓ８０６に進む。
【０１０４】
Ｓ８０６では、電力供給制御部４１８が、計測値データベース４３０から、当該第１情報処理装置１０が付設されている負荷６が接続する第１配電線１０１に接続する全ての負荷６の現在時刻から過去所定時間内における電力消費量を取得し、上記所定時間内における電力消費量が最大の負荷６が、当該第１情報処理装置１０が付設されている負荷６（自負荷）であるか否かを判断する。そして電力供給制御部４１８は、自負荷の電力消費量が最大であれば（Ｓ８０６：ＹＥＳ）、負荷６への電力供給を行う（例えば電気自動車の蓄電池の充電器をオンする）（Ｓ８０７）。一方、自負荷の電力消費量が最大でなければ（Ｓ８０６：ＮＯ）、図７に戻りＳ７１５に進む。
【０１０５】
Ｓ８２１では、制御権取得部４１９は、第３需給差Ｐｂが正値（電力余剰）であるか否かを判断する。制御権取得部４１９は、第３需給差Ｐｂが正値であれば（Ｓ８２１：ＹＥＳ）、Ｓ８２２に進み、第３需給差Ｐｂが正値でなければ（Ｓ８２１：ＮＯ）、Ｓ８３１に進む。
【０１０６】
Ｓ８２２では、制御権取得部４１９は、他局から送られてくる第３他局制御権信号の状態を調べ、他局が第３階層制御権を現在、要求中又は取得中であるか否かを判断する。他局が第３階層制御権を現在、要求中又は取得中である場合は（Ｓ８２２：ＹＥＳ）、Ｓ８０８に進む。他方、他局が第３階層制御権を現在、要求中でも取得中でもない場合は（Ｓ８２２：ＮＯ）、Ｓ８２３に進む。
【０１０７】
Ｓ８２３では、制御権取得部４１９は、第３自局制御権信号を直系上位の第２配電線１０２に接続している第２情報処理装置２０に送信する。その後は電力供給開始処理Ｓ８５０に進み、制御権取得部４１９は、第２待機時間だけ待機した後、他局が現在、第３階層制御権を要求中又は取得中であるか否かを判断してから電力供給を開始する。
【０１０８】
すなわち、まず制御権取得部４１９は、他局から送られてくる第３他局制御権信号の状態を調べ、他局が現在、第３階層制御権を要求中又は取得中であるか否かを判断する。制御権取得部４１９は、他局が第３階層制御権を現在、要求中又は取得中である場合は（Ｓ８０５：ＹＥＳ）、Ｓ８０８に進む。他方、他局が第３階層制御権を現在、要求中でも取得中でもない場合は（Ｓ８０５：ＮＯ）、Ｓ８０６に進む。
【０１０９】
Ｓ８０６では、電力供給制御部４１８が、計測値データベース４３０から、当該第１情報処理装置１０が付設されている負荷６が接続する第１配電線１０１に接続する全ての負荷６の現在時刻から過去所定時間内における電力消費量を取得し、上記所定時間内における電力消費量が最大の負荷６が、当該第１情報処理装置１０が付設されている負荷６（自負荷）であるか否かを判断する。そして電力供給制御部４１８は、自負荷の電力消費量が最大であれば（Ｓ８０６：ＹＥＳ）、負荷６への電力供給を行う（例えば電気自動車の蓄電池の充電器をオンする）（Ｓ８０７）。一方、自負荷の電力消費量が最大でなければ（Ｓ８０６：ＮＯ）、図７に戻りＳ７１５に進む。
【０１１０】
Ｓ８３１では、制御権取得部４１９は、第４需給差Ｐｓが正値（電力余剰）であるか否かを判断する。制御権取得部４１９は、第４需給差Ｐｓが正値であれば（Ｓ８３１：ＹＥＳ）、Ｓ８３２に進み、第４需給差Ｐｓが正値でなければ（Ｓ８３１：ＮＯ）、Ｓ８４１に進む。
【０１１１】
Ｓ８３２では、制御権取得部４１９は、他局から送られてくる第４他局制御権信号の状態を調べ、他局が第４階層制御権を現在、要求中又は取得中であるか否かを判断する。他局が第４階層制御権を現在、要求中又は取得中である場合は（Ｓ８３２：ＹＥＳ）、Ｓ８０８に進む。他方、他局が第２階層制御権を現在、要求中でも取得中でもない場合は（Ｓ８３２：ＮＯ）、Ｓ８３３に進む。
【０１１２】
Ｓ８３３では、制御権取得部４１９は、直系上位の第２配電線１０２に接続している第２情報処理装置２０に、第４自局制御権信号を送信する。その後は電力供給開始処理Ｓ８５０に進み、制御権取得部４１９は、第２待機時間だけ待機した後、他局が現在、第４階層制御権を要求中又は取得中であるか否かを判断してから電力供給を開始する。
【０１１３】
すなわち、まず制御権取得部４１９は、他局から送られてくる第４他局制御権信号の状態を調べ、他局が現在、第４階層制御権を要求中又は取得中であるか否かを判断する。制御権取得部４１９は、他局が第４階層制御権を現在、要求中又は取得中である場合は（Ｓ８０５：ＹＥＳ）、Ｓ８０８に進む。他方、他局が第４階層制御権を現在、要求中でも取得中でもない場合は（Ｓ８０５：ＮＯ）、Ｓ８０６に進む。
【０１１４】
Ｓ８０６では、電力供給制御部４１８が、計測値データベース４３０から、当該第１情報処理装置１０が付設されている負荷６が接続する第１配電線１０１に接続する全ての負荷６の現在時刻から過去所定時間内における電力消費量を取得し、上記所定時間内における電力消費量が最大の負荷６が、当該第１情報処理装置１０が付設されている負荷６（自負荷）であるか否かを判断する。そして電力供給制御部４１８は、自負荷の電力消費量が最大であれば（Ｓ８０６：ＹＥＳ）、負荷６への電力供給を行う（例えば電気自動車の蓄電池の充電器をオンする）（Ｓ８０７）。一方、自負荷の電力消費量が最大でなければ（Ｓ８０６：ＮＯ）、図７に戻りＳ７１５に進む。
【０１１５】
Ｓ８４１では、制御権取得部４１９は、他局から送られてくる第４他局制御権信号の状態を調べ、他局が第４階層制御権を現在、要求中又は取得中であるか否かを判断する。他局が第４階層制御権を現在、要求中又は取得中である場合は（Ｓ８４１：ＹＥＳ）、Ｓ８０８に進む。他方、他局が第２階層制御権を現在、要求中でも取得中でもない場合は（Ｓ８４１：ＮＯ）、Ｓ８４２に進む。
【０１１６】
Ｓ８４２では、制御権取得部４１９は、第４自局制御権信号を、直系上位の第２配電線１０２に接続している第２情報処理装置２０に送信する。その後は、電力供給停止処理Ｓ８６０に進む。
【０１１７】
図８Ｃに示す電力供給停止処理Ｓ８６０では、まず制御権取得部４１９は所定の待機時間（以下、第３待機時間と称する。）だけ待機する（Ｓ８４３）。
【０１１８】
次に、Ｓ８４４では、制御権取得部４１９は、他局から送られてくる第４他局制御権信号の状態を調べ、他局が第４階層制御権を現在、要求中又は取得中であるか否かを判断する。他局が第４階層制御権を現在、要求中又は取得中である場合は（Ｓ８４４：ＹＥＳ）Ｓ８０８に進む。他方、他局が第４階層制御権を現在、要求中でも取得中でもない場合は（Ｓ８４１：ＮＯ）、Ｓ８４５に進む。
【０１１９】
Ｓ８４５では、電力供給制御部４１８が、計測値データベース４３０から、当該第１情報処理装置１０が付設されている負荷６が接続する第１配電線１０１に接続する全ての負荷６の現在時刻から過去所定時間内における電力消費量を取得し、上記所定時間内における電力消費量が最小の負荷６が、当該第１情報処理装置１０が付設されている負荷６（自負荷）であるか否かを判断する。そして電力供給制御部４１８は、自負荷の電力消費量が最小であれば（Ｓ８４５：ＹＥＳ）、負荷６への電力供給を停止する（例えば電気自動車の蓄電池の充電器をオフする）（Ｓ８４６）。一方、自負荷の電力消費量が最小でなければ（Ｓ８４５：ＮＯ）、図７のＳ７１５に進む。
【０１２０】
このように、電力供給制御部４１８は、当該第１情報処理装置１０が付設されている負荷６が接続する第１配電線１０１、又は当該第１配電線１０１の直系上位の配電線（第２配電線１０２、第３配電線１０３、及び第４配電線１０４）の少なくともいずれかに余剰電力が存在する場合には、負荷６に電力供給を行うので、例えば発電機５が自然エネルギー利用の発電機である場合のように、発電機出力が時間的に一定でない場合でも、安定して負荷６に電力を供給することができる。また直系上位の配電線（第２配電線１０２、第３配電線１０３、及び第４配電線１０４）を下位から順に辿って夫々の余剰電力の有無を判断していくので、発電機出力の変化に起因する上位側配電線の潮流変化を有効に防ぐことができる。
【０１２１】
また電力供給制御部４１８は、当該第１情報処理装置１０が付設されている負荷６が接続する第１配電線１０１、又は当該第１配電線１０１の直系上位の配電線（第２配電線１０２、第３配電線１０３、及び第４配電線１０４）のいずれにも余剰電力が存在しない場合には、負荷６への電力供給を停止するので、例えば発電機が自然エネルギー利用の発電機のように出力が時間的に一定でない発電機である場合でも、発電機出力の変化に起因する上位側配電線の潮流変化を防ぐことができる。
【０１２２】
以上のように、本実施形態の電力供給システム１によれば、低圧配電線等の下位の配電線（第１配電線１０１）に太陽光発電機等の自然エネルギーを利用した発電機５が接続された階層的な電力系統（電力供給システム１）において、第１配電線１０１に付設された第１情報処理装置１０が、当該第１配電線１０１における需給差（第１需給差）と、その直系上位の配電線の需給差（第２需給差、第３需給差、第４需給差）とに基づき、当該第１配電線１０１に接続している負荷６への電力供給を制御する。このため、第１配電線１０１とその直系上位の配電線間で余剰電力を有効に利用することができる。またこのように余剰電力を融通することで、上位側の潮流変動を防ぐことができる。またこれにより電力系統に設定される需給調整しろを緩和することができる。
【０１２３】
また第１情報処理装置の夫々は、他局制御権信号を現在、受信中であるか否かを判断し、受信中でなければ、自身が電力制御の制御権を現在、要求中又は取得中であることを示す信号である自局制御権信号を送信するとともに第１乃至第３電力制御を開始するので、複数の第１情報処理装置により第１乃至第４階層電力制御の制御権が同時に取得され、同一の負荷に対して同時に第１乃至第４階層電力制御がされてしまうのを確実に防ぐことができる。そのため、過制御やハンチングを防ぐことができる。
【０１２４】
また電力制御を行うに際し、他局制御権信号を現在、受信中であるか否かを調べ、他局制御権信号を受信中であれば所定時間待機した後に、再度他局制御権信号を受信中であるか否かを調べ、受信中でなければ自局制御権信号を他の第１情報処理装置１０に対して送信するとともに第１階層電力制御を開始するので、同一の負荷６に対して同時に第１乃至第４階層電力制御がされてしまうのを確実に防ぐことができる。そのため、過制御やハンチングを防ぐことができる。
【０１２５】
また電力制御を行うに際し、他局制御権信号を現在、受信中であるか否かを判断し、受信中であれば所定時間待機した後に、再度他局制御権信号を現在、受信中であるか否かを判断し、受信中でなければ自局制御権信号を他の第１情報処理装置に対して送信するとともに第１乃至第４階層電力制御を開始するので、同一の負荷に対して同時に第１乃至第４階層電力制御がされてしまうのを確実に防ぐことができる。そのため、過制御やハンチングを防ぐことができる。
【０１２６】
また第１情報処理装置１０が、第１配電線１０１から順にその直系上位を辿って余剰電力の有無を判断し、余剰電力が生じている配電線が有れば第１配電線１０１に接続している負荷６への電力供給を行う。これによれば、下位側の配電線の余剰電力が負荷に有効に提供されて下位側の配電線の需給差が緩和され、上位側の潮流変動を防ぐことができる。
【０１２７】
尚、Ｓ８０４において第２待機時間だけ待機する際、制御権取得部４１９が最新の需給差（第１需給差、第２需給差、第３需給差、第４需給差）を求め、その結果、電力制御（第１階層電力制御、第２階層電力制御、第３階層電力制御、第４階層電力制御）が最早不要であると判断した場合は自負荷の制御（Ｓ８０７）を行わないようにしてもよい（その場合は例えば図７に戻りＳ７１５に進む。）。
【０１２８】
またＳ８４３において第３待機時間だけ待機する際、制御権取得部４１９が最新の第４需給差を求め、その結果、第４階層電力制御が最早不要であると判断した場合は自負荷の制御（Ｓ８４６）を行わないようにしてもよい（その場合は例えば図７に戻りＳ７１５に進む。）。
【０１２９】
［第２実施例］
第１実施例における、第２情報処理装置２０、第３情報処理装置３０、及び第４情報処理装置４０は、いずれも送られてきた制御権信号を第１情報処理装置１０の全てに転送（ブロードキャスト）してしまうため、不必要な信号（制御権信号）までもが全ての通信ネットワークに伝搬してしまう。そこで第２実施例では、不必要に信号が伝搬しないようにするために第２情報処理装置２０、第３情報処理装置３０、及び第４情報処理装置４０が制御権信号の種別に応じて転送処理を行うようにしている。
【０１３０】
尚、以下の説明において、注目している情報処理装置（第２情報処理装置２０、第３情報処理装置３０、第４情報処理装置４０）の１階層直系上位の情報処理装置のことを親局、注目している情報処理装置の１階層直系下位の情報処理装置のことを子局と称する。
【０１３１】
図９は、第２情報処理装置２０の第２制御権信号転送部６１３が行う転送処理（以下、転送処理Ｓ１０００と称する。）を示すフローチャートである。
【０１３２】
同図に示すように、Ｓ１００１では、第２制御権信号転送部６１３がその子局から、第１自局制御権信号、及び第１他局制御権信号のいずれかを受信したか否かを判断する。第２制御権信号転送部６１３は、第１自局制御権信号、及び第１他局制御権信号のいずれかを受信した場合には（Ｓ１００１：ＹＥＳ）、Ｓ１００２に進み、いずれも受信していない場合にはＳ１００３に進む。Ｓ１００２では、第２制御権信号転送部６１３は、受信した制御権信号を子局に転送する。
【０１３３】
Ｓ１００３において、第２制御権信号転送部６１３は、その子局から、第２自局制御権信号、第２他局制御権信号、第３自局制御権信号、第３他局制御権信号、第４自局制御権信号、及び第４他局制御権信号のいずれかを受信したか否かを判断する。第２制御権信号転送部６１３は、いずれかを受信した場合には（Ｓ１００３：ＹＥＳ）Ｓ１００４に進み、いずれも受信していない場合にはＳ１００５に進む。Ｓ１００４では、第２制御権信号転送部６１３は、受信した制御権信号を子局及び親局に転送する。
【０１３４】
Ｓ１００５では、第２制御権信号転送部６１３は、その親局から、制御権信号のいずれかを受信したか否かを判断する。第２制御権信号転送部６１３は、制御権信号のいずれかを受信した場合には（Ｓ１００５：ＹＥＳ）、その受信した制御権信号を子局に転送する（Ｓ１００６）。その後はＳ１００１に戻る。他方、第２制御権信号転送部６１３は、制御権信号のいずれも受信していない場合には（Ｓ１００５：ＮＯ）、Ｓ１００１に戻る。
【０１３５】
図１０は、第３情報処理装置３０の第３制御権信号転送部６２３が行う転送処理（以下、転送処理Ｓ１１００と称する。）を示すフローチャートである。
【０１３６】
同図に示すように、Ｓ１１０１では、第３制御権信号転送部６２３が、その子局から、第２自局制御権信号、及び第２他局制御権信号のいずれかを受信しているか否かを判断する。第３制御権信号転送部６２３は、いずれかを受信した場合には（Ｓ１１０１：ＹＥＳ）Ｓ１１０２に進み、いずれも受信していない場合にはＳ１１０３に進む。Ｓ１１０２では、第３制御権信号転送部６２３は、受信した制御権信号を子局に転送する。
【０１３７】
Ｓ１１０３において第３制御権信号転送部６２３は、その子局から、第３自局制御権信号、第３他局制御権信号、第４自局制御権信号、及び第４他局制御権信号のいずれかを受信したか否かを判断する。第３制御権信号転送部６２３は、いずれかを受信した場合には（Ｓ１１０３：ＹＥＳ）Ｓ１１０４に進み、いずれも受信していない場合にはＳ１１０５に進む。Ｓ１１０４では、第３制御権信号転送部６２３は、受信した制御権信号を子局及び親局に転送する。
【０１３８】
Ｓ１１０５では、第３制御権信号転送部６２３は、その親局から制御権信号のいずれかを受信したか否かを判断する。第３制御権信号転送部６２３は、制御権信号のいずれかを受信した場合には（Ｓ１１０５：ＹＥＳ）、その受信した制御権信号を子局に転送する（Ｓ１１０６）。その後はＳ１１０１に戻る。他方、第３制御権信号転送部６２３は、制御権信号のいずれも受信していない場合には（Ｓ１１０５：ＮＯ）、Ｓ１１０１に戻る。
【０１３９】
図１１は、第４情報処理装置４０の第４制御権信号転送部６３３が行う転送処理（以下、転送処理Ｓ１２００と称する。）を示すフローチャートである。
【０１４０】
同図に示すように、Ｓ１２０１では、第４制御権信号転送部６３３は、その子局から第３自局制御権信号、及び第３他局制御権信号のいずれかを受信したか否かを判断する。第４制御権信号転送部６３３は、いずれかを受信した場合には（Ｓ１２０１：ＹＥＳ）Ｓ１２０２に進み、いずれも受信していない場合にはＳ１２０３に進む。Ｓ１２０２では、第４制御権信号転送部６３３は、その受信した制御権信号を子局に転送する。
【０１４１】
Ｓ１２０３において第４制御権信号転送部６３３は、その子局から、第４自局制御権信号、及び第４他局制御権信号のいずれかを受信したか否かを判断する。第４制御権信号転送部６３３は、いずれかを受信した場合には（Ｓ１２０３：ＹＥＳ）Ｓ１２０４に進み、受信していない場合にはＳ１２０５に進む。Ｓ１２０４では、第４制御権信号転送部６３３は、その受信した制御権信号を子局及び親局に転送する。
【０１４２】
Ｓ１２０５では、第４制御権信号転送部６３３は、親局から制御権信号のいずれかを受信している否かを判断する。第４制御権信号転送部６３３は、制御権信号のいずれかを受信した場合には（Ｓ１２０５：ＹＥＳ）、その受信した制御権信号を子局に転送する（Ｓ１２０６）。その後はＳ１２０１に戻る。他方、第４制御権信号転送部６３３は、制御権信号のいずれも受信していない場合には（Ｓ１２０５：ＮＯ）、Ｓ１２０１に戻る。
【０１４３】
このように第２情報処理装置２０は、第１情報処理装置１０又は第３情報処理装置３０に対して、必要な信号だけを転送するので、不必要に通信トラフィックを上昇させることがなく効率的に通信を行うことができる。
【０１４４】
また第３情報処理装置は３０、第２情報処理装置２０又は第４情報処理装置に対して、必要な信号だけを転送するので、不必要に通信トラフィックを上昇させることがなく効率的に通信を行うことができる。
【０１４５】
ところで、図９乃至図１１に示したアルゴリズムは、夫々を独立したプログラムとして実現するようにしてもよいが、以下に説明するアルゴリズムを用いれば夫々を共通のプログラムによって実現することができる。
【０１４６】
図１２は、図９乃至図１１に示したアルゴリズムを共通のプログラムで実現した場合の処理（以下、転送処理Ｓ１３００と称する。）の一例を説明するフローチャートである。以下、同図の処理について説明する。尚、以下の説明において、情報処理装置（第１情報処理装置１０、第２情報処理装置２０、第３情報処理装置３０、第４情報処理装置４０）の階層とは、その情報処理装置が接続している配電線（第１配電線１０１、第２配電線１０２、第３配電線１０３、第４配電線１０４）の階層のことをいう。また第２情報処理装置２０、第３情報処理装置３０、及び第４情報処理装置４０を総称して「転送局」と称する。
【０１４７】
同図に示すように、まず転送局は、子局から制御権信号のいずれかを受信したか否かを判断する（Ｓ１３０１）。制御権信号のいずれかを受信した場合は（Ｓ１３０１：ＹＥＳ）Ｓ１３０２に進む。制御権信号を受信していない場合は（Ｓ１３０１：ＮＯ）Ｓ１３０５に進む。
【０１４８】
Ｓ１３０２では、転送局は、自局の階層とＳ１３０１で受信した制御権信号の階層とを比較する。自局の階層が受信した制御権信号の階層よりも低い場合（Ｓ１３０２：ＹＥＳ）、転送局は、Ｓ１３０１で受信した制御権信号を親局及び子局に転送する（Ｓ１３０３）。その後はＳ１３０５に進む。一方、自身の階層が受信している制御権信号の階層よりも低くない場合（Ｓ１３０２：ＮＯ）、転送局はＳ１３０１で受信した制御権信号を子局に転送する（Ｓ１３０４）。その後はＳ１３０５に進む。
【０１４９】
Ｓ１３０５では、転送局は、親局から制御権信号のいずれかを受信したか否かを判断する。制御権信号のいずれかを受信した場合（Ｓ１３０５：ＹＥＳ）、転送局は受信した制御権信号を子局に転送する（Ｓ１３０６）。その後はＳ１３０１に進む。一方、制御権信号を受信していない場合は（Ｓ１３０５：ＮＯ）、Ｓ１３０１に戻る。
【０１５０】
以上に説明したように、図９乃至図１１に示したアルゴリズムに代えて図１２に示したアルゴリズムを採用することで、図９乃至図１１に示したアルゴリズムを共通のプログラムによって実現することができ、プログラムの開発効率の向上や保守／運用面の効率化を図ることができる。
【０１５１】
図１３は以上に説明した第２実施例による電力供給方法の具体例である。
【０１５２】
同図において、例えば第１情報処理装置１０は、自負荷が接続する第１配電線１０１１のＰｔが正値（７→４）の場合、第１階層電力制御を行う必要があると判断する。第１情報処理装置１０は、第１階層電力制御に際し、自負荷が接続する第１配電線１０１の他局が現在、第１階層制御権を要求中又は取得中であるか否かを判断し、要求中でも取得中でもなければ第１自局制御権信号を第２情報処理装置２０に送信する。続いて第１情報処理装置１０は、第１自局制御権信号を送信した後、第２待機時間だけ待機した後、他局が第１階層制御権を現在、要求中又は取得中であるか否かを判断し、要求中でも取得中でもなければ第１階層電力制御を行う。第２情報処理装置２０は、第１情報処理装置１０から送られてくる第１自局制御権信号を受信すると、第１情報処理装置１０に第１自局制御権信号を転送する。
【０１５３】
また例えば、第１情報処理装置１０は、自負荷が接続している第１配電線１０２１内のＰｔは正値ではないが（−１→−３）、その直系上位の第２配電線１０２１のＰｆが正値（６→１）であれば、第２階層電力制御を行う必要があると判断する。次に第１情報処理装置１０は、第２階層電力制御に際し、第２配電線１０２１の他局が第２階層制御権を現在、要求中でも取得中でもないことを確認し、要求中でも取得中でもなければ第２自局制御権信号を第２情報処理装置２０に送信する。次に第１情報処理装置１０は、第２自局制御権信号を送信し、第２待機時間だけ待機した後、他局が第２階層制御権を要求中又は取得中であるか否かを判断し、要求中でも取得中でもなければ第２階層電力制御を行う。第２情報処理装置２０は、第１情報処理装置１０から第２自局制御権信号を受信し、受信した第２自局制御権信号を第３情報処理装置３０及び第１情報処理装置１０に転送する。第３情報処理装置３０は、第２情報処理装置２０から第２自局制御権信号を受信し、受信した第２自局制御権信号を第２情報処理装置２０に転送する。
【０１５４】
ところで、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【０１５５】
例えば以上の説明では下位の配電線とその上位の配電線との境界を変圧器又は遮断器のいずれかとしているが、下位の配電線と上位の配電線との境界は変圧器又は遮断器のいずれであってもよい。
【０１５６】
また本実施形態では、第１乃至第４階層のグリッドが存在する場合について説明したが、同様の方法により本発明はｎ階層のグリッドが存在する場合に拡張することができる。  
【０１５７】
第２待機時間は、次回の第１階層制御権、第２階層制御権、第３階層制御権、及び第４階層制御権の取得要求がなるべく他局と同じタイミングで送出されないようにするために、例えばランダム値としてもよい。
【０１５８】
第３待機時間は、次回の第４階層制御権の取得要求がなるべく他局と同じタイミングで送出されないようにするために、例えばランダム値としてもよい。
【符号の説明】
【０１５９】
１  電力供給システム
５  発電機
６  負荷
８  計測装置
１０  第１情報処理装置
２０  第２情報処理装置
３０  第３情報処理装置
４０  第４情報処理装置
１０１  第１配電線
１０２  第２配電線
１０３  第３配電線
１０４  第４配電線
４１１  電力消費量計測部
４１２  自負荷情報送信部
４１３  他負荷情報受信部
４１４  発電機出力受信部
４１５  需給差算出部
４１６  需給差送信部
４１７  需給差受信部
４１８  電力供給制御部
４１９  制御権取得部
４１９１  制御権信号送信部
４１９２  制御権信号受信部
４３０  計測値データベース
【図１】
0005415347.tif 000002
【図２Ａ】
0005415347.tif 000003
【図２Ｂ】
0005415347.tif 000004
【図３】
0005415347.tif 000005
【図４】
0005415347.tif 000006
【図５】
0005415347.tif 000007
【図６Ａ】
0005415347.tif 000008
【図６Ｂ】
0005415347.tif 000009
【図６Ｃ】
0005415347.tif 000010
【図７】
0005415347.tif 000011
【図８Ａ】
0005415347.tif 000012
【図８Ｂ】
0005415347.tif 000013
【図８Ｃ】
0005415347.tif 000014
【図９】
0005415347.tif 000015
【図１０】
0005415347.tif 000016
【図１１】
0005415347.tif 000017
【図１２】
0005415347.tif 000018
【図１３】
0005415347.tif 000019